(57)【要約】【課題】電子機器の梱包装置において、外装箱上部に荷重を受けた場合でも簡単な構成で外装箱上部がつぶれない構造を提供することを目的とする。【解決手段】外装箱１１の少なくとも２箇所の上下方向の角部において底面緩衝材１３と天面緩衝材１４の間に配置され外装箱１１に上下方向から加えられる加重を支えるための支柱材１５を設け、前記支柱材１５は、段ボールからなる平板を断面がほぼＷ字形状に折り曲げることにより構成し、かつ支柱材１５の両方の片部１５ａが前記外装箱１１の角部を形成する内側壁１１ｂに当接するように配置したもので、外装箱上部より荷重がかかっても、外装箱上部の天面緩衝材と底面緩衝材の間に配置した段ボールを折り曲げた支柱材により、上部からの荷重を吸収することができる。【選択図】  図１
2004306972.tif 000002
【特許請求の範囲】
【請求項１】
天面を有する外装箱と、この外装箱とで電子機器を梱包する梱包箱を構成する底箱と、この底箱に配置された底面緩衝材と、前記外装箱の天面と電子機器の上面との間に配置された天面緩衝材とを有し、前記外装箱の少なくとも２箇所の上下方向の角部において前記底面緩衝材と天面緩衝材の間に配置され前記外装箱に上下方向から加えられる加重を支えるための支柱材を設け、前記支柱材は、段ボールからなる平板を断面がほぼＷ字形状に折り曲げることにより構成し、かつ支柱材の両方の片部が前記外装箱の角部を形成する内側壁に当接するように配置したことを特徴とする電子機器の梱包装置。
【発明の詳細な説明】
【０００１】
【発明の属する技術分野】
本発明は、テレビジョン受信機などの電子機器の梱包装置に関するものである。
【０００２】
【従来の技術】
従来、テレビジョン受信機などの電子機器の梱包装置としては、特許文献１に示す構成のものや、図３、図４に示す構成のものが知られている。すなわち、図３、図４において、１はテレビジョン受信機などの電子機器で、その梱包装置は、左右の底面緩衝材２が配置された底箱３と、天面４ａを有し前記底箱３とで電子機器１を梱包する梱包箱を構成する外装箱４と、この外装箱４の天面４ａと電子機器１の上面との間に配置された左右の天面緩衝材５とにより構成されている。また、電子機器を梱包し、出荷した際に、荷扱いで上部から加えられる荷重を吸収するために、電子機器１の正面側は、天面緩衝材５と底面緩衝材２の間に電子機器１が設置される構造とし、電子機器１の後面側は、天面緩衝材５と底面緩衝材２の間に２本の紙管６を配置して、外装箱４に上部より荷重を受けても外装箱４がつぶれない構造としている。
【０００３】
【特許文献１】
特開２００２−２１１６４６号公報
【０００４】
【発明が解決しようとする課題】
しかしながら、このような天面緩衝材５と底面緩衝材２の間に紙管６を挟み込む構造では、天面緩衝材５と底面緩衝材２に紙管６を位置決めすることが必要であり、しかも電子機器を梱包する時の工数も増え、部品点数も増えるという課題がある。
【０００５】
本発明はこのような課題を解決するもので、外装箱上部に荷重を受けた場合でも簡単な構成で外装箱上部がつぶれない構造を提供することを目的とするものである。
【０００６】
【課題を解決するための手段】
上記課題を解決するために本発明は、外装箱の少なくとも２箇所の上下方向の角部において前記底面緩衝材と天面緩衝材の間に配置され前記外装箱に上下方向から加えられる加重を支えるための支柱材を設け、前記支柱材は、段ボールからなる平板を断面がほぼＷ字形状に折り曲げることにより構成し、かつ支柱材の両方の片部が前記外装箱の角部を形成する内側壁に当接するように配置したもので、外装箱上部より荷重がかかっても、外装箱上部の天面緩衝材と底面緩衝材の間に配置した段ボールを折り曲げた支柱材により、上部からの荷重を吸収することができる。
【０００７】
【発明の実施の形態】
すなわち、本発明の請求項１記載の発明は、天面を有する外装箱と、この外装箱とで電子機器を梱包する梱包箱を構成する底箱と、この底箱に配置された底面緩衝材と、前記外装箱の天面と電子機器の上面との間に配置された天面緩衝材とを有し、前記外装箱の少なくとも２箇所の上下方向の角部において前記底面緩衝材と天面緩衝材の間に配置され前記外装箱に上下方向から加えられる加重を支えるための支柱材を設け、前記支柱材は、段ボールからなる平板を断面がほぼＷ字形状に折り曲げることにより構成し、かつ支柱材の両方の片部が前記外装箱の角部を形成する内側壁に当接するように配置したことを特徴とするものである。
【０００８】
以下に、本発明の一実施の形態による電子機器の梱包装置について、図１、図２を用いて説明するが、本発明はこれに限定されるものではない。
【０００９】
図１は本発明の一実施の形態による電子機器の梱包装置を分解して示す斜視図、図２は梱包状態を透視して示す斜視図である。図１、図２において、テレビジョン受信機などの電子機器１を梱包する梱包装置は、天面１１ａを有する段ボールからなる直方体形状の外装箱１１と、この外装箱１１とで電子機器１を梱包する梱包箱を構成する段ボールからなる角皿形状の底箱１２と、この底箱１２に配置された２個の底面緩衝材１３と、前記外装箱１１の天面１１ａと電子機器１の上面との間に配置された２個の天面緩衝材１４とを有している。
【００１０】
また、前記外装箱１１において、電子機器１の後面側の少なくとも２箇所の上下方向の角部には、前記底面緩衝材１３と天面緩衝材１４の間に配置され前記外装箱１１に上下方向から加えられる加重を支えるための支柱材１５が設けられている。前記支柱材１５は、段ボールからなる平板を断面がほぼＷ字形状に折り曲げることにより構成し、かつ支柱材１５の両方の片部１５ａが前記外装箱１１の角部を形成する内側壁１１ｂに当接するように配置している。
【００１１】
すなわち、本発明は、外装箱１１の少なくとも２箇所の上下方向の角部において底面緩衝材１３と天面緩衝材１４の間に配置され前記外装箱１１に上下方向から加えられる加重を支えるための支柱材１５を設け、前記支柱材１５は、段ボールからなる平板を断面がほぼＷ字形状に折り曲げることにより構成し、かつ支柱材１５の両方の片部１５ａが前記外装箱１１の角部を形成する内側壁１１ｂに当接するように配置したもので、従来のような紙管を配置しなくても、外装箱１１上部から加えられる荷重を支柱材１５が吸収することができ、これにより外装箱１１上部に荷重を受けた場合でも簡単な構成で外装箱１１上部がつぶれない構造を提供することができるとともに、梱包する時の工数を削減することができる。
【００１２】
【発明の効果】
以上説明したように本発明によれば、電子機器の梱包装置において、電子機器を容易に梱包し、荷扱いで上部からの荷重を受けても外装箱を保護できるという効果を得ることができる。
【図面の簡単な説明】
【図１】本発明の一実施の形態による電子機器の梱包装置を示す分解斜視図
【図２】本発明の梱包装置による梱包状態を透視して示す斜視図
【図３】従来の梱包装置を示す分解斜視図
【図４】従来の梱包装置による梱包状態を透視して示す斜視図
【符号の説明】
１  電子機器
１１  外装箱
１１ａ  天面
１１ｂ  内側壁
１２  底箱
１３  底面緩衝材
１４  天面緩衝材
１５  支柱材
１５ａ  片部
【図１】
2004306972.tif 000003
【図２】
2004306972.tif 000004
【図３】
2004306972.tif 000005
【図４】
2004306972.tif 000006